(57)【要約】【課題】芯板を極力薄くし、しかも、デスクに対する所要の取付強度を有するようにしたデスクトップパネル装置を提供する。【解決手段】左右端部付近に、下端部から上方を向く嵌合孔１５を設け、かつ左右の嵌合孔１５の下端部間にわたって、断面下向きコ状の凹溝１６を設けてなるデスクトップパネル１０の嵌合孔１５を、机の天板上に立設しうるようにした剛質の支持枠２０における横杆２２で連結された縦杆２１に上方から嵌合するとともに、デスクトップパネル１０の凹溝１６を、支持枠２０における横杆２２に上方から嵌合する。【選択図】　　　　図１
2004057435.tif 000002
【特許請求の範囲】
【請求項１】
左右端部付近に、下端部から上方を向く嵌合孔を設け、かつ左右の嵌合孔の下端部間にわたって、断面下向きコ状の凹溝を設けてなるデスクトップパネルの前記嵌合孔を、机の天板上に立設しうるようにした剛質の支持枠における横杆で連結された縦杆に上方から嵌合するとともに、デスクトップパネルの前記凹溝を、支持枠における前記横杆に上方から嵌合したことを特徴とするデスクトップパネル装置。
【請求項２】
デスクトップパネルを、硬質の芯板の表裏面に、ピン刺し可能な軟質板を重合したものとし、前記芯板を切欠いて、前記嵌合孔と凹溝を形成したことを特徴とする請求項１記載のデスクトップパネル装置。
【発明の詳細な説明】
【０００１】
【発明の属する技術分野】
本発明は、机の天板の後側に立設されるデスクトップパネル装置に関する。
【０００２】
【従来の技術】
机の天板の後側に立設されるデスクトップパネルとしては、硬質の芯板の表面に、ピン刺し可能な軟質板を重合したものが一般的である。
【０００３】
上記軟質板としては、多孔もしくは繊維質の断熱性板やコルク板等が一般に使用されているが刺し止められるピンの長さを考慮すると、その厚さは約１０ｍｍあることが望ましく、またこのような軟質板は、硬質の芯板の表裏面に貼り合わされるのが通例である。
【０００４】
しかして、このようなデスクトップパネルを机上へ立設するためには、パネルに支持金具を取り付けなければならないが、十分な取付け強度を持たせ、しかもパネル全体としての十分な剛性と平面性を持たせるためには、パネルにおける硬質の芯板の厚さを、かなり厚くしなければならない。
【０００５】
そのため、従来のデスクトップパネルは、相当に厚肉となっていて重く、かつ価格的にも、好ましいものではなかった。
【０００６】
軽量化のために、デスクトップパネルの厚さを薄くし、かつ所要の強度を持たせるために、その周囲をアルミニウム等の押出し材で囲んだものもあるが、意匠的に問題があり、また部品点数と加工工数が増えるため、高価となる。
【０００７】
【発明が解決しようとする課題】
本発明は、従来のデスクトップパネル装置における上記問題点を解消するべく、
芯板を極力薄くし、しかも、デスクに対する所要の取付強度を有するようにしたデスクトップパネル装置を提供することを目的とする。
【０００８】
【課題を解決するための手段】
本発明によると、上記課題は、次のようにして解決される。
（１）　左右端部付近に、下端部から上方を向く嵌合孔を設け、かつ左右の嵌合孔の下端部間にわたって、断面下向きコ状の凹溝を設けてなるデスクトップパネルの前記嵌合孔を、机の天板上に立設しうるようにした剛質の支持枠における横杆で連結された縦杆に上方から嵌合するとともに、デスクトップパネルの前記凹溝を、支持枠における前記横杆に上方から嵌合する。
【０００９】
（２）　上記（１）項において、デスクトップパネルを、硬質の芯板の表裏面に、ピン刺し可能な軟質板を重合したものとし、前記芯板を切欠いて、前記嵌合孔と凹溝を形成する。
【００１０】
【発明の実施の形態】
図１は、机上に立設するようにしたデスクトップパネル装置を示し、（１０）はデスクトップパネル、（２０）はその支持枠である。
【００１１】
デスクトップパネル（１０）は、図２〜図５に示すように、重合して、接着その他により固着した２枚の硬質の芯板（１１）（１１）の表面に、ピン刺し可能な多孔質もしくは繊維質の絶縁板等の軟質板（１２）を、接着その他により固着し、かつ軟質板（１２）の表面および各側端面に亘って、繊維質の表皮材（１３）を、重合もしくは貼着して形成されている。
【００１２】
各芯板（１１）の対向する内面の上縁部には、左右方向を向き、かつ表皮材（１３）の厚さとほぼ等しい深さの段溝（１４）が設けられている。
【００１３】
芯板（１１）の左右側端部よりやや内側には、支持枠（２０）の両側における縦杆（２１）へ上方から嵌合しうる縦方向の嵌合孔（１５）が、その下縁より上縁付近までに亘って設けられている。
【００１４】
この嵌合孔（１５）は、前記縦杆（２１）が断面円形である場合には、芯板（１１）の下面要所よりドリル加工することによって穿設することができる。
【００１５】
図１に示すように、支持枠（２０）の縦杆（２１）が角形断面の場合には、２枚の芯板（１１）（１１）を接着するに先立って、図６に示すように、その下縁から所要の高さに亘って、断面角形の凹入孔（１５ａ）を切設しておいてから、２枚の芯板（１１）（１１）を貼り合わせればよい。
【００１６】
左右の嵌合孔（１５）（１５）の間において、芯板（１１）の下面（１１ａ）はやや上方へ引込められ、かつこの下面（１１ａ）には、左右方向を向く下向き凹溝（１６）が切設されている。
【００１７】
下向き凹溝（１６）の直下において、軟質板（１２）の下端には、表皮材（１３）の厚さと等しい深さの横向きの段溝（１７）が形成されている。
【００１８】
前記支持枠（２０）は、デスクトップパネル（１０）を机の天板の後部に立設保持するためのものであって、前記縦杆（２１）（２１）を、断面角形の横杆（２２）をもって連結し、かつ各縦杆（２１）の下部を、適宜机の天板に固定することができるようになっており、かつ連結杆（２３）で連結された上下方向を向く断面角形の支持筒（２４）に嵌合したものである。
【００１９】
前記軟質板（１２）の表面には適宜の表皮材（１３）が貼設され、その上下端は、内方へ折り込んで、段溝（１４）（１７）に嵌入され、接着されている。
【００２０】
デスクトップパネル（１０）の左右の嵌合孔（１５）（１５）を、支持枠（２０）の縦杆（２１）（２１）へ上方から嵌合すると、デスクトップパネル（１０）の下縁の横溝（１６）は、支持枠（２０）の横杆（２２）へ嵌合し、デスクトップパネル（２０）は、平面性を保ったまま、支持枠（２０）に強固に支持される。
【００２１】
【発明の効果】
請求項１記載の発明によると、デスクトップパネルの左右端部は、剛質の支持枠の縦杆で前後移動不能に支持され、かつデスクトップパネルの下端部は、支持枠の横杆で前後移動不能に支持されているから、デスクトップパネルは、前後に移動することはなく、かつその平面性は良好に保たれる。そのため、デスクトップパネルの厚さを小とすることができる。
【００２２】
請求項２記載の発明によると、デスクトップパネルは、硬質の芯板をもってきわめて強固に保持される。
【図面の簡単な説明】
【図１】本発明の一実施形態の分解斜視図である。
【図２】デスクトップパネルの正面図である。
【図３】デスクトップパネルの下面図である。
【図４】図２におけるＩＶ−ＩＶ線拡大縦断面図である。
【図５】図２におけるＶ−Ｖ線拡大縦断面図である。
【図６】芯板の要部斜視図である。
【符号の説明】
（１０）デスクトップパネル
（１１）芯板
（１１ａ）下面
（１２）軟質板
（１３）表皮材
（１４）段溝
（１５）嵌合孔
（１５ａ）凹入孔
（１６）下向き凹溝
（１７）段溝
（２０）支持枠
（２１）縦杆
（２２）横杆
（２３）連結杆
（２４）支持筒
【図１】
2004057435.tif 000003
【図２】
2004057435.tif 000004
【図３】
2004057435.tif 000005
【図４】
2004057435.tif 000006
【図５】
2004057435.tif 000007
【図６】
2004057435.tif 000008